(57)【要約】      （修正有）【課題】メインページからの移動なしで検索語の自動完成機能を利用して詳しい情報を確認し選別できる方法を提供する。【解決手段】インターネットにアクセスした使用者端末が検索ページの検索ボックス１１０で検索語入力を開始するステップと、自動完成検索システムが検索語予測プロセスを実行するステップと、前記検索ボックスの下方に予想検索語リストを表示すると共に、予想検索語リスト領域１２０と隣接した領域にプレビューコンテンツを表示するステップと、前記予想検索語リストに特定予想検索語の上に入力手段が位置するか、または予想検索語が検索される場合に当てはまる予想検索語に対応するプレビューコンテンツを表示するステップと、を含む。【選択図】図２
2014006864.tif 000002
【特許請求の範囲】
【請求項１】
使用者端末によってインターネットを介してアクセスされ、そして表示される所定の検索ページにおいて、
該検索ページに設けられている検索ボックスで検索語入力を受け付けるステップと、
自動完成アルゴリズムが検索語予測プロセスを実行するステップと、
前記検索ボックスの下方に連なるように予想検索語リスト領域を設けて前記予想検索語のリストを表示すると共に、前記予想検索語リスト領域と隣接した領域にプレビューコンテンツ領域を設けて前記詳細情報を表示するステップと、
前記予想検索語リスト領域に表示されている前記予想検索語のリストにおいて、所定の予想検索語が選択されると、当該予想検索語に対応する前記詳細情報をプレビューコンテンツに表示するステップと、を含むことを特徴とする検索語自動完成と連動するプレビューコンテンツの提供方法。
【請求項２】
請求項１に記載の方法において、前記検索ページは、購買またはレンタル可能の物件情報を提供するインターネットサイトの検索ページであることを特徴とする検索語自動完成と連動するプレビューコンテンツの提供方法。
【請求項３】
請求項１に記載の方法において、前記プレビューコンテンツに表示される詳細情報は、イメージ領域とテキスト領域に区分されるコンテンツであることを特徴とする検索語自動完成と連動するプレビューコンテンツの提供方法。
【請求項４】
請求項１に記載の方法において、前記使用者端末において所定の入力手段によって前記プレビューコンテンツが選択されると、前記検索ページに設けられているメインページに前記プレビューコンテンツに関連して提供されているＵＲＬのページを表示することを特徴とする検索語自動完成と連動するプレビューコンテンツの提供方法。
【請求項５】
請求項１に記載の方法において、
（ａ）自動完成抽出モジュールによりデータベースから検索語とプレビューコンテンツを抽出するステップと、
（ｂ）抽出された検索語とプレビューコンテンツを禁則語辞書でフィルタリングした後、キーワードファイルを生成するステップと、
（ｃ）自動完成キャッシュモジュールでキーワードファイルをキャッシュファイルに構成するステップと、
（ｄ）前記キャッシュファイルをキャッシュサーバーに伝送するステップと、をさらに含み、
前記使用者端末により検索語が入力されるとき、前記キャッシュサーバーが検索語を予想検索語として推薦し、前記プレビューコンテンツを使用者端末に伝達することを特徴とする検索語自動完成と連動するプレビューコンテンツの提供方法。 
【発明の詳細な説明】
【技術分野】
【０００１】
本発明は、検索技術に関し、特に検索語を自動完成して検索結果を表示する方法に関する。
【背景技術】
【０００２】
近頃、インターネットが発達した時代には、検索エンジンを通じて自分が望む情報を容易に探すことができる。例えば、グーグルウェブサイトに検索語を入力して望む情報を容易に取得することができる。検索技術は、一方では入力された検索語に対応して検索エンジンが正確で素早く使用者が望む情報を抽出して表示する方向に発展してきた。他方では、使用者が望む情報は検索語（キーワード）と密接した関連を有するので、検索語そのものに関する多様なビジネスモデルに発展してきた。
【０００３】
特に、検索語に関する自動完成技術は、後者に関係がある。自動完成技術は使用者が検索ボックスに文字を入力し始めると字素単位に分解して検索語を予め予測して推薦する技術であって、使用者に最も容易で素早く検索することができる便利さを提供する。自動完成機能を遂行するアルゴリズムがシステムにインストールされる。検索ボックスに検索語を入力し始めると、システムは検索ボックスの下方に連なっていわゆるコンボボックス状に予想検索語リストを提示する。また検索語入力を続けることによって提示している予想検索語リストをリアルタイムに更新して切替表示する。自動完成で提示された予想検索語リストのうち、望む検索語がある場合、マウスを移動してクリックすることだけで検索語入力が可能になる。
【０００４】
自動完成技術を利用すると使用者は入力しようとする検索語の一部だけ入力しても望む検索語がすぐ確認できるという長所がある。また自動完成技術の他の長所は検索語を正確に覚えていない場合にも予想検索語によって望む検索結果を得ることができることである。また、自動完成で提示された複数の検索語中から使用者に新しく興味を誘発する場合があり、これは使用者が新しい情報を得られるきっかけになり得る。
【０００５】
近年、自動完成技術に加えてコンテンツを提供しようとする試みが行われている。その代表的な試みとしてグーグル検索（グーグル：登録商標）が挙げられる。図５は、インターネットサイトの使用者画面１０の構成例を概略的に示す図である。検索ボックス１１に検索語を入力し始めると、下方のリスト領域１２に予想検索語リストを表示する。この際、メインページ１３も予想検索語に対応して結果値を表示する。即ち、この従来技術によると予想検索語を自動完成すると同時にメインページ１３に検索結果を表示することができる。なるべく、迅速に検索結果を使用者に提示できるという長所がある。
【０００６】
しかし、この従来技術はグーグルが提供しているような検索専用ウェブサイトでは何らかの効用性があるが、独立した意味を有する特定のカテゴリーに属する情報を選択的にメインページ１３に提供しようとすると、このような技術では全く適合してなかった。何故なら、検索語の自動完成アルゴリズムにウェブサイトを従属させてしまうので、殆どのウェブサイトの場合には使用者と運用者双方に不便と不快な感じをもたらすからである。例えば、メインページ１３が何らかの製品やサービスに関する情報を提供する場合、ウェブサイトがオンラインマーケットとして機能する場合、公共機関のウェブサイト、言論関係の会社のウェブサイト、ポータルサイトなど、殆どのウェブサイトではメインページ１３を検索語の自動完成アルゴリズムと連動して切替えることは現実的にほぼ不可能である。
【０００７】
本発明の発明者は上述の従来技術の問題を解決するために長い間の研究を重なった結果、本発明が導出された。
【発明の概要】
【発明が解決しようとする課題】
【０００８】
本発明の目的は、メインページからの移動なしで検索語の自動完成機能を利用して詳しい情報を確認し選別できる方法を提供することにある。
【０００９】
本発明における「メインページ」とは、検索ボックスと独立した領域であって、当該ウェブサイトが主として提供する情報を表示するウェブページ領域を意味し、検索語を入力して検索を要請する際に検索結果が表示される領域でもある。
【００１０】
一方、本発明の明示されてない他の目的は下記の詳しい説明およびその効果から容易に推測される範囲内で追加的に考慮されるべきである。
【課題を解決するための手段】
【００１１】
このような目的を達成するために、本発明は、使用者端末によってインターネットを介してアクセスされ、そして表示される所定の検索ページにおいて、
該検索ページに設けられている検索ボックスで検索語入力を受け付けるステップと、
自動完成アルゴリズムが検索語予測プロセスを実行するステップと、
前記検索ボックスの下方に連なるように予想検索語リスト領域を設けて前記予想検索語のリストを表示すると共に、前記予想検索語リスト領域と隣接した領域にプレビューコンテンツ領域を設けて前記詳細情報を表示するステップと、
前記予想検索語リスト領域に表示されている前記予想検索語のリストにおいて、所定の予想検索語が選択されると、当該予想検索語に対応する前記詳細情報をプレビューコンテンツに表示するステップと、を含むことを特徴とする検索語自動完成と連動するプレビューコンテンツの提供方法として構成される。  
【００１２】
本発明の好ましい一実施例による検索語自動完成と連動するプレビューコンテンツ提供方法において、前記検索ページは購買またはレンタル可能な物件情報を提供するインターネットサイトの検索ページとして提供することができる。
【００１３】
また、本発明の好ましい一実施例による検索語自動完成と連動するプレビューコンテンツ提供方法において、前記プレビューコンテンツは検索語に関連して予め登録されている検索対象に対する詳細情報であってもよく、イメージ領域とテキスト領域とに区分されるコンテンツであってもよい。
【００１４】
また、本発明の好ましい一実施例による検索語自動完成と連動されるプレビューコンテンツ提供方法において、前記使用者端末が前記プレビューコンテンツを入力手段によって選択してから前記プレビューコンテンツに含まれたＵＲＬで検索ページのメインページを変更するようにしてもよい。
【００１５】
また、本発明の好ましい一実施例による検索語自動完成と連動するプレビューコンテンツ提供方法において、
（ａ）自動完成抽出モジュールによりデータベースから検索語とプレビューコンテンツを抽出するステップと、
（ｂ）抽出された検索語とプレビューコンテンツを禁則語辞書でフィルタリングした後、キーワードファイルを生成するステップと、
（ｃ）自動完成キャッシュモジュールでキーワードファイルをキャッシュファイルに構成するステップと、
（ｄ）前記キャッシュファイルをキャッシュサーバーに伝送するステップと、をさらに含むようにしてもよい。
【００１６】
そして前記使用者端末により検索語が入力される時、前記キャッシュサーバーが検索語を予想検索語として推薦し、前記プレビューコンテンツを使用者端末に伝達することを特徴とする。
【発明の効果】
【００１７】
本発明によると、希望するページを表示するとき、検索結果ページを確認して希望する項目別の詳細ページに移動するような従来の操作は不要であり、使用者が希望するページを予め提示できることになる。これによって、使用者が望む検索結果をより迅速で正確に得ることができる。
【００１８】
本発明の明細書で具体的に言及されてない効果であっても、本発明の技術的特徴により期待される効果は、本発明の明細書に記載されたことと同様に取り扱われるべきである。
【図面の簡単な説明】
【００１９】
【図１】本発明によるシステム構成例を概念的に示す図である。
【図２】本発明一実施例による使用者画面構成例を示す図である。
【図３】本発明の方法に関する全プロセスを示すフローチャートである。
【図４】本発明の一実施例で使用される自動完成検索システムの構造を示す図である。
【図５】従来の自動完成プロセスに従う画面構成の例を示す図である。
【発明を実施するための形態】
【００２０】
以下、添付された図を参照して本発明の実施のための具体的な内容を説明するが、図は、本発明の技術思想に対する理解のために参照として挙げられたことに過ぎなく、これにより本発明の権利範囲が制限されることはない。そして、本発明を説明することにおいて関連の公知機能に対してこの分野の技術者へ自明な事項として本発明の要旨を不明にする恐れがあると判断される場合にはその詳しい説明を略する。
【００２１】
図１は、本発明の検索システムの概略的構成を示す。使用者端末１は、インターネットサイトの検索ページ１００にアクセスする。インターネットサイトは大量の情報を提供するため、使用者端末１は使用者が望む情報に対して検索を通じてアクセスする。検索は、検索ボックスのようなユーザインターフェースを提供する検索ページ１００を通じて遂行される。検索ページ１００はインターネットサイトの構成要素であり、検索結果は、当該インターネットサイトのデータベースを利用する。資源の管理とデータの処理は、インターネットサイトの管理サーバー２００が担当する。本発明において管理サーバー２００の機能と役割は主な関心事ではない。それは、従来に周知された構成が利用されてもよく、管理サーバー２００構成の多様な変形により本発明の精神が制限されるものではないためである。
【００２２】
使用者端末の検索語入力に対して管理サーバー２００にインストールされている自動完成アルゴリズムにより検索語予測プロセスが実行される。このような自動完成アルゴリズムによって抽出され提示される予想検索語情報はキャッシュサーバー３００に送られ、このサーバが担当する。本発明で予想検索語情報は予想検索語のリストとしてだけ存在するものではない。予想検索語とそれに対応する詳細情報とが対になって記憶され抽出されるものである。自動完成アルゴリズムにより抽出されるものは、検索語のリストとそれに対応する詳細情報であり、この詳細情報は以下で説明するプレビューコンテンツとして表示されるものである。
【００２３】
このために、キャッシュサーバー３００はデータベース４００から抽出した予想検索語と詳細情報を自動完成アルゴリズムにより使用者端末１に提示する。
【００２４】
図２は、本発明の方法が実行される好ましい使用者画面１００構成の例を示す。使用者画面１００は使用者端末がアクセスしたインターネットサイトの検索ページを示す。検索語を入力できるユーザインターフェースである検索ボックス１１０を含む。
【００２５】
このインターネットサイトは、好ましくは、使用者端末がオンラインで購買またはレンタルできる物件情報を提供するサイトであってもよい。例えば、物件を購買できるインターネットサイトとして代表的にはオンラインショッピングモールがある。オンラインショッピングモールには大量の商品情報が蓄積・提供されているため、使用者はカテゴリを利用して商品情報にアクセスするか、または検索を通じて商品情報にアクセスする。本発明の方法は後者に焦点を置く。オンラインショッピングモールとしては、電子製品と生活用品などの有形物を販売するサイトだけではなく無形のコンテンツやサービスを販売するサイトも含む。また、アマゾン（登録商標）のような図書販売サイトやアップルストア（登録商標）のようなソフトウェアをオンラインで販売するサイトも含む。
【００２６】
検索ボックス１１０に使用者端末が検索語を入力し始めると予想検索語リスト領域１２０に予想検索語のリストが表示される。従来技術によると、このとき使用者がリストの中から所定の検索語を選択するか、または入力した検索語に対する検索結果要請ボタンを選択すると、メインページ１３０は検索結果ページに移動する。検索結果ページは１個以上の検索結果を表示し、再び使用者端末は検索結果ページのリストからいずれか一個を選択することによって所望の最終検索結果情報にアクセスすることができる。
【００２７】
しかし、本発明では検索結果ページを経由せずに、すぐ最終検索結果情報にアクセスすることができる。つまり予想検索語リスト領域１２０に自動完成に従う予想検索語のリストを表示する。そして図２に示すように、予想検索語リスト領域１２０に隣接して、好ましくは右側に、プレビューコンテンツ領域１５０を表示して予想検索語に対応する詳細情報すなわちプレビューコンテンツを表示することができる。
【００２８】
予想検索語リスト領域１２０に表示される予想検索語順は、所定のアルゴリズムによって定め、最も高い予想的中率の検索語が最上位に位置するようにする。図２中、最上位には予想検索語「ａａａ」１２１が表示されており、予想検索語「ａａａ」１２１に対する詳細情報がプレビューコンテンツ領域１５０に表示されている。最も予想的中率が高い検索語、即ち最上位に表示される予想検索語に対する詳細情報がプレビューコンテンツ領域１５０に自動に表示されることになる。使用者端末が入力する検索語が変更、例えば、音節単位に変更されることによって自動完成される予想検索語も変更され、最上位に表示される予想検索語も自動に変更される。それによって最上位に表示される予想検索語に対する詳細情報つまりプレビューコンテンツも自動に変更されて表示される。
【００２９】
図２で使用者端末において使用者が「ａａｂ」という予想検索語の上に入力手段を位置させるか（例えば、ｍｏｕｓｅ  ｏｖｅｒ）、または「ａａｂ」をクリックによって選択すると、プレビューコンテンツ領域１５０に表示されるプレビューコンテンツが「ａａｂ」に対応するものに変更される。
【００３０】
プレビューコンテンツ領域１５０には予想検索語に対応する詳細情報を表示できるようになっているが、この領域には、好ましくは、イメージ領域１５１とテキスト領域１５２を含むことができる。例えば、当該インターネットサイトが電子図書館またはオンライン書店にたとえると、イメージ領域１５１には予想検索語で完成された名称の図書の表紙イメージが表出され得る。また、テキスト領域１５２には当該図書の名称、著者、出版社、価額などの情報が表示され得る。また、詳細情報には当該予想検索語に対応するウェブページを表すＵＲＬも含む。プレビューコンテンツ領域１５０を入力手段によって選択することで、該当するウェブページをメインページ１３０に表示することができる。
【００３１】
使用者は、プレビューコンテンツを見るだけでも当該予想検索語が使用者が望むものであるか否かがすぐ分かる。さらには、別の検索結果ページへの移動なしで、プレビューコンテンツ領域１５０を選択することだけで望む検索結果を迅速、かつ正確に得ることができる。
【００３２】
図３は、このような本発明の方法に対する全プロセスを概括的に例示した。先ず、インターネットサイトにアクセスした使用者端末１に検索ページが表示され、検索ページの検索ボックス１１０において使用者によって検索語入力が開始される（Ｓ１００）。
【００３３】
検索ボックス１１０で検索語入力をし始めると、インターネットサイトに設けられている検索エンジンは、自動完成アルゴリズムを実行すると共に検索語予測プロセスを開始する（Ｓ１１０）。
【００３４】
検索語予測プロセスを実行するために本発明の検索システムは、キャッシュサーバー３００に自動完成のためのキャッシュファイルを予め構築する。これに対しては図４を参照し得る。
【００３５】
自動完成抽出モジュール３４０はデータベース４００から検索語３１０と詳細情報３２０を抽出する。詳細情報３２０は物件の名称、その物件に対する既入力の詳細情報、イメージ、ＵＲＬを含む。抽出された検索語と詳細情報とを禁則語辞書３３０でフィルタリングした後に、キーワードファイル３５０を生成する。そして、自動完成キャッシュモジュール３６０はキーワードファイル３５０からキャッシュファイル３８０を構成して、このように構成されたキャッシュファイル３８０はキャッシュサーバー３００に伝送される。検索語予測プロセスは、キャッシュサーバー３００と使用者端末１との相互作用により実行される構造である。
【００３６】
即ち、前記Ｓ１００ステップが実行されることによってインターネットサイトの検索システムは入力された検索語を、いわゆるＡｊａｘによってリアルタイムに処理してインターネットサイト側でキャッシュファイル３８０を生成し、キャッシュファイル３８０で検索語と一致する物件情報が照会できるようにする。キャッシュサーバー３００はその照会結果を伝達する。
【００３７】
さらに図３に示したように、使用者端末が入力している検索語に対して予想検索語が存在するか否かを判断し（Ｓ１２０）、予想検索語が存在しない場合には使用者端末の検索語入力に対して待機状態になり（予想検索語が終わりまで存在しない場合には以後のプロセスは終了する）、予想検索語が存在する場合には１個以上の予想検索語のリストを予想検索語リスト領域１２０に表示する（Ｓ１３０）。好ましくは、予想検索語リスト領域１２０は検索ボックス１１０の下に連なるように設ける。
【００３８】
本発明において、予想検索語のリストを表示する前記Ｓ１３０ステップは、必須的にプレビューコンテンツ領域１５０を予想検索語リスト領域１２０に隣接して設けてプレビューコンテンツを表示することを含む。即ち、予想検索語と１個のプレビューコンテンツは同時にお互い隣接して表示されるものである。
【００３９】
好ましい実施例において、最初に表示されるプレビューコンテンツ領域１５０のは予想検索語のリスト中から最上位置に表示される予想検索語に対応するプレビューコンテンツが表示される。
【００４０】
使用者端末の入力手段が特定の予想検索語を選択する場合（例えば、マウスオーバーまたはマウスクリック）（Ｓ１４０）、選択された予想検索語に対するプレビューコンテンツをプレビューコンテンツ領域１５０に表示する（Ｓ１５０）。
【００４１】
使用者端末の検索語入力がさらに進行されてもよく、これによってリストに表示される予想検索語が更新され、最上位に表示される予想検索語も切替え表示される。するとプレビューコンテンツ領域１５０に表示されるプレビューコンテンツも変更される。
【００４２】
本発明の保護範囲が以上に明示的に説明した実施例の記載と表現に制限されるものではない。また、本発明が属する技術分野で自明な変更や置換によって本発明の保護範囲が制限されるものではないことをさらに添える。
【図１】
2014006864.tif 000003
【図２】
2014006864.tif 000004
【図３】
2014006864.tif 000005
【図４】
2014006864.tif 000006
【図５】
2014006864.tif 000007